(57)【要約】【課題】ポップカードに記載された情報をどの位置からでも消費者が認識できる、フックバー取り付け用のポップカード保持具を提供する。【解決手段】ポップカード保持具の展開物は、矩形のシートである。ポップカード保持具の一方の側面となる第１側面部１１、正面となる透明な保持前部１２、組立後に保持前部に重なり隙間を形成する保持後部１３、前面部１４、他方の側面となる第２側面部１５及び前面部とともにポップカード保持具の横幅を決定する背面部１６が、この順に並んでいる。保持前部と保持後部とは山折りの保持部形成折線２７で連続する。保持後部と前面部とは谷折りの前面部形成折線２９で連続する。前面部と第２側面部とは山折りの側面部形成折線３１で連続する。背面部は、山折りの背面部形成折線３２を介して第２側面部に連続する。各折線は長手方向に直交する方向に延びたものである。【選択図】  図１
2014033858.tif 000002
【特許請求の範囲】
【請求項１】
ポップカードを保持して商品陳列用什器のフックバーに取り付けられるポップカード保持具の展開物であって、
全体として矩形のシートであり、
組み立て後のポップカード保持具において、一方の側面となる第１側面部、正面となる保持前部、前記保持前部とともに前記ポップカードが挿入可能な隙間を形成する保持後部、前記ポップカード保持具の横幅を決定する前面部、および他方の側面となる第２側面部が、この順に前記矩形の長手方向に並び、かつ前記前面部とともに前記ポップカード保持具の横幅を決定する背面部が前記長手方向のいずれか一方の端に配されており、
少なくとも前記保持前部は透明であり、
前記保持前部と前記保持後部とが前記長手方向に直交する山折りの保持部形成折線で連続し、
前記保持後部と前記前面部とが前記長手方向に直交する谷折りの前面部形成折線で連続し、
前記前面部と前記第２側面部とが前記長手方向に直交する山折りの側面部形成折線で連続し、
前記背面部が、前記長手方向に直交する山折りの背面部形成折線を介して前記長手方向における前記保持前部の逆側で前記第１側面部に連続し、または前記長手方向に直交する山折りの背面部形成折線を介して前記長手方向における前記前面部の逆側で前記第２側面部に連続する
ことを特徴とするポップカード保持具の展開物。
【請求項２】
前記保持前部または前記保持後部は、隣り合う前記保持後部または前記保持前部から輪郭線により切り離されて前記隣り合う保持後部または保持前部側に突出する側面連結部を１つまたは複数有し、
前記長手方向における前記側面部形成折線の近傍に、前記長手方向に直交する方向に延び前記側面連結部を差し入れ可能な切断線である前面第２切断線が、前記側面連結部と同数設けられ、
前記長手方向から見たときに、前記側面連結部のすべてがいずれかの前記前面第２切断線に重なる位置に配された
請求項１に記載のポップカード保持具の展開物。
【請求項３】
ポップカードを保持して商品陳列用什器のフックバーに取り付けられるポップカード保持具の展開物であって、
全体として矩形のシートであり、
組み立て後のポップカード保持具において、正面となる保持前部、前記保持前部とともに前記ポップカードが挿入可能な隙間を形成する保持後部、前記ポップカード保持具の横幅を決定する前面部、一方の側面となる第２側面部、前記前面部とともに前記ポップカード保持具の横幅を決定する背面部、および他方の側面となる第１側面部が、この順に前記矩形の長手方向に並んで配されており、
少なくとも前記保持前部は透明であり、
前記保持前部と前記保持後部とが前記長手方向に直交する山折りの保持部形成折線で連続し、
前記保持後部と前記前面部とが前記長手方向に直交する谷折りの前面部形成折線で連続し、
前記前面部と前記第２側面部とが前記長手方向に直交する山折りの側面部形成折線で連続し、
前記第２側面部と前記背面部とが前記長手方向に直交する山折りの背面部形成折線で連続し、
前記背面部と前記第１側面部とが前記長手方向に直交する山折りの背面連結折線で連続する
ことを特徴とするポップカード保持具の展開物。
【請求項４】
前記保持前部または前記保持後部は、隣り合う前記保持後部または前記保持前部から輪郭線により切り離されて前記隣り合う保持後部または保持前部側に突出する側面連結部を１つまたは複数有し、
前記長手方向における前記側面部形成折線の近傍に、前記長手方向に直交する方向に延び前記側面連結部を差し入れ可能な切断線である前面第２切断線が、前記側面連結部と同数設けられ、
前記長手方向から見たときに、前記側面連結部のすべてがいずれかの前記前面第２切断線に重なる位置に配された
請求項３に記載のポップカード保持具の展開物。
【請求項５】
前記第１側面部または前記保持前部は、隣り合う前記保持前部または前記第１側面部から輪郭線により切り離されて前記隣り合う保持前部または第１側面部側に突出する前面連結部を１つまたは複数有し、
前記前面連結部の突出元には、前記長手方向に直交する山折りの前面連結折線が設けられ、
前記長手方向における前記前面部形成折線の前記保持後部側近傍に、前記長手方向に直交する方向に延び前記前面連結部を差し入れ可能な切断線である前面第１切断線が、前記前面連結部と同数設けられ、
前記長手方向から見たときに、前記前面連結部のすべてがいずれかの前記前面第１切断線に重なる位置に配された
請求項２に記載のポップカード保持具の展開物。
【請求項６】
前記側面連結部が前記保持後部側に突出し、
前記前面連結部が前記第１側面部側に突出する
請求項３に記載のポップカード保持具の展開物。
【請求項７】
請求項１に記載のポップカード保持具の展開物を組み立てたポップカード保持具であって、
前記前面部形成折線、前記側面部形成折線および前記背面部形成折線がそれぞれの折り方でその両側が略９０度に折り曲げられており、
前記保持部形成折線で略１８０度折り曲げられて前記保持前部および前記保持後部が重なっており、
前記保持後部の前記前面部形成折線近傍が前記保持前部に一体化されており、
前記展開物において前記長手方向の両端に位置する、前記第１側面部と前記背面部とで、または前記背面部と前記第２側面部とで、略９０度を形成させてそれぞれの外方端が連結されており、
前記保持前部および前記保持後部の重なりが谷折りである前記前面部形成折線の谷側で１８０度湾曲されて前記保持部形成折線が前記側面部形成折線またはその近傍に分離可能に連結されている
ポップカード保持具。
【請求項８】
前記保持前部または前記保持後部は、隣り合う前記保持後部または前記保持前部から輪郭線により切り離されて前記隣り合う保持後部または保持前部側に突出する側面連結部を１つまたは複数有し、
前記長手方向における前記側面部形成折線の近傍に、前記長手方向に直交する方向に延び前記側面連結部を差し入れ可能な切断線である前面第２切断線が、前記側面連結部と同数設けられ、
前記長手方向から見たときに、前記側面連結部のすべてがいずれかの前記前面第２切断線に重なる位置に配されており、
前記保持部形成折線の前記側面部形成折線またはその近傍への連結が、前記側面連結部を前記前面第２切断線による切れ目に差し入れることにより行われている
請求項６に記載のポップカード保持具。
【発明の詳細な説明】
【技術分野】
【０００１】
本発明は、商品の情報が表示されたカードを保持して、商品陳列用什器のフックバーに取り付けられるポップカード保持具に関する。
【背景技術】
【０００２】
ホームセンター、スーパー等の商店では、比較的小さな袋入り商品、ブリスターパック包装商品等は、商用空間の効率的な活用を図るために、フックバーに吊り下げられて陳列されるのが一般的である。
フックバーに吊り下げられて陳列されることが予定された商品は、陳列されたとき包装容器における消費者の目に付きやすい位置に、商品の名称、特徴等が表示され、包装容器自体がその商品のポップ広告となっている場合が多い。またフックバーには、商品の吊り下げ用バーの上に価格等が記載されたカードを保持するもの（２段フックバー）も頻繁に使用される（特許文献１、図１）。
【０００３】
しかし、フックバーにおける商品の吊り下げ用バーの上のホルダーに保持可能なカードは、小さくてその情報量には限界があることから、特許文献１には、通常は陳列商品の一部に重なり合い、吊り下げ商品取り出し時には上方に押し上げられる、情報記載面積が大きなカードホルダー（印刷物保持体）を有するディスプレイフックが提案されている。
ところで、フックバーに吊り下げられた同一種類の商品について、その種類ごとに分類された表示をすれば、消費者は購入を希望する商品群を素早く見つけ出すことができる。フックバーの先端に取り付けられ、そのような機能（分類等の表示）を果たすカード保持具が提案されている（特許文献２）。特許文献２に提案されたカード保持具は、その直下のフックバーに吊り下げられた商品情報の充実のためにも使用可能なものである。
【先行技術文献】
【特許文献】
【０００４】
【特許文献１】特開２００２−２８２１００号公報
【特許文献２】登録実用新案第３０４５７７０号公報
【発明の概要】
【発明が解決しようとする課題】
【０００５】
用途が共通する商品群の表示、同一の製造業者による商品群であることの表示、または商品群に共通する特徴の表示等は、商店において商品を探す消費者にとって利便性が高い。
しかし、特許文献１に提案された印刷物保持体は、その正面でのみ消費者が表示された情報を読み取ることができ、特許文献２に提案されたカード保持具は、その横からのみ消費者が表示された情報を読み取ることができるものであり、カードに記載された情報が、消費者の位置によっては読み取ることができないという問題がある。
【０００６】
本発明は、上述の問題に鑑みてなされたもので、ポップカードに記載された情報をどの位置からでも消費者が認識できる、フックバー取り付け用のポップカード保持具およびその展開物を提供することを目的とする。
【課題を解決するための手段】
【０００７】
本発明に係る展開物は、ポップカードを保持して商品陳列用什器のフックバーに取り付けられるポップカード保持具を組み立てるためのものである。
展開物は、全体として矩形のシートであり、組み立て後のポップカード保持具において、一方の側面となる第１側面部、正面となる保持前部、保持前部とともにポップカードが挿入可能な隙間を形成する保持後部、ポップカード保持具の横幅を決定する前面部、および他方の側面となる第２側面部が、この順に前記矩形の長手方向に並んでいる。
【０００８】
また、前面部とともにポップカード保持具の横幅を決定する背面部が、第１側面部の保持前部とは逆側に、または第２側面部の前面部とは逆側に配されている。展開物における少なくとも保持前部は透明である。
保持前部と保持後部とは長手方向に直交する山折りの保持部形成折線で連続し、保持後部と前面部とは長手方向に直交する谷折りの前面部形成折線で連続し、前面部と第２側面部とは長手方向に直交する山折りの側面部形成折線で連続する。
【０００９】
背面部は、長手方向に直交する山折りの背面部形成折線を介して長手方向における保持前部の逆側で第１側面部に連続し、または長手方向に直交する山折りの背面部形成折線を介して長手方向における前面部の逆側で第２側面部に連続する。
本発明に係る他の展開物は、組み立て後のポップカード保持具において、正面となる保持前部、保持前部とともにポップカードが挿入可能な隙間を形成する保持後部、ポップカード保持具の横幅を決定する前面部、一方の側面となる第２側面部、前面部とともにポップカード保持具の横幅を決定する背面部、および他方の側面となる第１側面部が、この順に矩形の長手方向に並んで配されている。少なくとも保持前部は透明である。展開物は、保持前部と保持後部とが長手方向に直交する山折りの保持部形成折線で連続する。保持後部と前面部とは、長手方向に直交する谷折りの前面部形成折線で連続する。前面部と第２側面部とは、長手方向に直交する山折りの側面部形成折線で連続する。第２側面部と背面部とは、長手方向に直交する山折りの背面部形成折線で連続する。そして、背面部と第１側面部とは、長手方向に直交する山折りの背面連結折線で連続する。
【００１０】
好ましくは、保持前部または保持後部は、隣り合う保持後部または保持前部から輪郭線により切り離されて隣り合う保持後部または保持前部側に突出する側面連結部を１つまたは複数有する。前面連結部の突出元には、長手方向に直交する山折りの前面連結折線が設けられている。展開物には、側面連結部に応じて、長手方向における側面部形成折線の近傍に、長手方向に直交する方向に延び側面連結部を差し入れ可能な切断線である前面第２切断線が、側面連結部と同数設けられる。そして、展開物を長手方向から見たときに、側面連結部のすべてがいずれかの前面第２切断線に重なる位置に配される。
【００１１】
好ましくは、第１側面部または保持前部は、隣り合う保持前部または第１側面部から輪郭線により切り離されて隣り合う保持前部または第１側面部側に突出する前面連結部を１つまたは複数有する。長手方向における前面部形成折線の保持後部側近傍には、長手方向に直交する方向に延び前面連結部を差し入れ可能な切断線である前面第１切断線が、前面連結部と同数設けられる。そして、展開物を長手方向から見たときに、前面連結部のすべてがいずれかの前面第１切断線に重なる位置に配される。
【００１２】
より好ましくは、展開物は、側面連結部が保持後部側に突出し、前面連結部が第１側面部側に突出する。
本発明に係るポップカード保持具は、前述のポップカード保持具の展開物を組み立てたポップカード保持具である。
ポップカード保持具は、前面部形成折線、側面部形成折線および背面部形成折線がそれぞれの折り方でその両側が略９０度に折り曲げられており、保持部形成折線で略１８０度折り曲げられて保持前部および保持後部が重なっており、保持後部の前面部形成折線近傍が保持前部に一体化されている。展開物において長手方向の両端に位置する、第１側面部と背面部とで、または背面部と第２側面部とで、略９０度を形成させてそれぞれの外方端が連結されている。保持前部および前記保持後部の重なり合いは、谷折りである前面部形成折線の谷側で１８０度湾曲され、ポップカード保持具は、重なり合いの端である保持部形成折線が、側面部形成折線またはその近傍に分離可能に連結されて形成されている。
【００１３】
好ましくは、ポップカード保持具は、保持前部または保持後部が、展開物において隣り合う保持後部または保持前部から輪郭線により切り離されて隣り合う保持後部または保持前部側に突出する連結部を１つまたは複数有する。展開物の長手方向における側面部形成折線の近傍には、長手方向に直交する方向に延び側面連結部を差し入れ可能な切断線である前面第２切断線が側面連結部と同数設けられており、展開物を長手方向から見たときに、側面連結部のすべてがいずれかの前面第２切断線に重なる位置に配されている。ポップカード保持具は、保持部形成折線の側面部形成折線またはその近傍への連結が、側面連結部を前面第２切断線による切れ目に差し入れることにより行われている。
【００１４】
なお、上記における「山折り」および「谷折り」は、展開物を一方の表面側から見たものである。展開物を他方の表面側（裏側）から見た場合には、「山折り」は「谷折り」、「谷折り」は「山折り」であり、見る方向が異なれば折り方の表現が異なる。上記「山折り」および「谷折り」は、それぞれの「折線」相互の折り方の関係を示すものである。
【発明の効果】
【００１５】
本発明によると、ポップカードに記載された情報をどの位置からでも消費者が認識できる、フックバー取り付け用のポップカード保持具およびその展開物を提供することができる。
【図面の簡単な説明】
【００１６】
【図１】図１はポップカード保持具の展開物の平面図である。
【図２】図２はポップカード保持具の組み立て過程の概略図である。
【図３】図３はポップカード保持具の組み立て過程の概略図である。
【図４】図４はポップカード保持具の概略図である。
【図５】図５は図４におけるＰＬ１〜ＰＬ３平面による断面図である。
【図６】図６はフックストッパーの概要を示す図である。
【図７】図７は他の展開物の平面図である。
【図８】図８は図７由来のポップカード保持具において図７の展開物のＡ−Ａ矢視相当方向から見た断面図である。
【図９】図９は他の展開物の概略図である。
【図１０】図１０は図９の展開物由来のポップカード保持具の構成を示す図である。
【図１１】図１１は他の展開物の展開図である。
【図１２】図１２は図１１由来のポップカード保持具において図１１の展開物のＢ−Ｂ矢視相当方向から見た断面図である。
【図１３】図１３は他の展開物の展開図である。
【図１４】図１４は図１３由来のポップカード保持具において図１３の展開物のＣ−Ｃ矢視相当方向から見た断面図である。
【発明を実施するための形態】
【００１７】
図１はポップカード保持具１の展開物２の平面図である。
展開物２は、塩化ビニル樹脂のシートで形成される。使用される塩化ビニルシートは、厚さが略０．５ｍｍであり、適度な硬さを有して弾性変形する。
展開物２は、幅に対して略４倍の長さを有する略矩形形状である。展開物２は、長手方向の一方から他方に向けて、第１側面部１１、保持前部１２、保持後部１３、前面部１４、第２側面部１５、背面部１６および重ね代１７がこの順で連続することにより形成されている。
【００１８】
以下「長手方向」は、略矩形形状の展開物２における長手方向をいい、「幅方向」は略矩形形状の幅方向をいうものとする。
第１側面部１１は、長手方向の一方の端から外方に突出する２つの背面連結部２１，２１を有する。背面連結部２１は、形状が、突出元近傍を下底とし、突出端を上底とする略台形である。厳密には、突出側に位置しその端を上底とする高さの高い台形と、この台形の下底を下底とする高さの低い台形が組み合わされた形状である。
【００１９】
背面連結部２１と第１側面部１１の他の部分との境界線は、山折りのための折り曲げ線に加工されている。この折り曲げ線の長さは台形形状の仮想下底Ｕ１−Ｕ２よりもわずかに短い。折り曲げ線から仮想下底Ｕ１−Ｕ２までの間Ｗ１は、突出側に向けて幅が徐々に広くなっている。２つの背面連結部２１，２１は、幅方向に間隔を有して配されている。
ここで、山折りとは、折り曲げ線の両側が折り曲げ線（図１が描かれた面）よりも奥側で近づくように曲げられることをいう。この折り曲げ線を背面連結折線２２という
なお、図１において折り曲げ線の両側が手前側で近づくように曲げられることを谷折りという。図１において、山折りの折り曲げ線を破線で、谷折りの折り曲げ線を点線で示す。
【００２０】
第１側面部１１は、長手方向における背面連結部２１の逆側で、保持前部１２に連続する。
保持前部１２は、第１側面部１１との境界から第１側面部１１側にはみ出す２つの前面連結部２３，２３を有する。前面連結部２３は、背面連結部２１を保持前部１２側に平行移動したときぴったりと重なる、背面連結部２１と同一の（略台形）形状および大きさである。したがって、幅方向における２つの前面連結部２３，２３の位置は、背面連結部２１，２１の位置に一致する。
【００２１】
前面連結部２３は、背面連結部２１における背面連結折線２２に相当する山折りの折り曲げ線（「前面連結折線２４」という）で保持前部１２の他の部分に連続する。前面連結部２３は、前面連結折線２４を除くその輪郭線２５で第１側面部１１から切り離されている。保持前部１２は、前面連結部２３，２３を除く境界で折り曲げ線等を介さずに第１側面部１１に連続する。
【００２２】
また、保持前部１２は、長手方向に隣り合う保持後部１３との境界から保持後部１３側にはみ出す２つの側面連結部２６，２６を有する。側面連結部２６は、前面連結部２３と同一形状、大きさの輪郭線２０で保持後部１３から切り離されている。側面連結部２６は、その形状（配置）が前面連結部２３に対して１８０回転されたものであり、保持後部１３側に台形形状の上底が位置する。側面連結部２６は、折り曲げ線等を介さずに保持前部１２の他の部分に連続する。保持前部１２は、側面連結部２６，２６を幅方向につなぐ山折りの折り曲げ線（「保持部形成折線２７」という）で保持後部１３に連続する。
【００２３】
側面連結部２６は、保持後部１３の一部を、その両端がその両側の保持部形成折線２７に連結され保持後部１３側に突出する輪郭線２０により切り離されて保持前部１２に連続させたものである。
保持後部１３は、長手方向における保持前部１２の逆側で、前面部１４に連続する。
前面部１４は、いずれも幅方向に延びた、離れて配された２つの切断線（「前面第１切断線２８」という）、および前面部１４を保持後部１３に連続させる谷折りの折り曲げ線（「前面部形成折線２９」という）を、保持後部１３との境界としている。ここで「切断線」とは、その両側が切り離された線をいう。
【００２４】
前面第１切断線２８は、幅方向に直線で延びその両側で長手方向に湾曲して前面部形成折線２９につながる切断線である。つまり、前面第１切断線２８の直線部分は前面部形成折線２９よりもわずかに保持後部１３側に位置し、この直線部分と前面部形成折線２９（保持後部１３と前面部１４との境界である）との距離Ｄ１は、展開物２を形成するシートの厚さよりも大きい。幅方向における前面第１切断線２８の寸法（幅）Ｗ２は、幅方向における前面連結部２３の寸法（幅）Ｗ３よりわずかに大きい。
【００２５】
前面部形成折線２９は、前面第１切断線２８，２８を除く幅方向両端間を結んでいる。
前面部１４は、長手方向における保持後部１３の逆側で、第２側面部１５に連続する。
第２側面部１５は、いずれも幅方向に延びた、離れて配された２つの切断線（「前面第２切断線３０」という）、および第２側面部１５を前面部１４に連続させる山折りの折り曲げ線（「側面部形成折線３１」という）を、前面部１４との境としている。
【００２６】
前面第２切断線３０，３０は、幅方向における位置、切断線の形状および大きさが前面第１切断線２８，２８と同じである。側面部形成折線３１は、山折りの折り曲げ線である点を除き、その位置等は前面部形成折線２９と同じである。
第２側面部１５は、長手方向における前面部１４の逆側で、幅方向の両端をつなぐ山折りの折り曲げ線（「背面部形成折線３２」という）で背面部１６に連続する。
【００２７】
背面部１６は、長手方向における第２側面部１５の逆側で、重ね代１７に連続する。
重ね代１７は、いずれも幅方向に延びた、離れて配された２つの切断線（「背面切断線３３」という）、および重ね代１７を背面部１６に連続させる山折りの折り曲げ線（「重ね代形成折線３４」という）を、背面部１６との境とする。
背面切断線３３は、切断線であり、その直線部分が重ね代形成折線３４よりも重ね代１７側に偏っている。背面切断線３３の重ね代１７側への偏りの程度は、展開物２を形成するシートの厚さよりも若干大きい。２つの背面切断線３３，３３は、折り曲げ線に対するその直線部分の位置の偏り方向が前面第２切断線３０，３０の逆である点を除き、幅方向におけるその位置、切断線の形状および大きさが前面第２切断線３０，３０と同じである。
【００２８】
重ね代１７は、長手方向におけるその寸法が、背面部１６の寸法の半分以下であり、端側に向けて徐々にその幅（幅方向の寸法）が小さくなっている。
展開物２は、長手方向における、第１側面部１１の長さ（背面連結折線２２から前面連結折線２４までの距離）と第２側面部１５の長さ（側面部形成折線３１から背面部形成折線３２までの距離）とが、保持前部１２の長さ（前面連結折線２４から保持部形成折線２７までの距離）と保持後部１３の長さ（保持部形成折線２７から前面部形成折線２９までの距離）とが、およびに前面部１４の長さ（前面部形成折線２９から側面部形成折線３１までの距離）と背面部１６の長さ（背面部形成折線３２から重ね代形成折線３４までの距離）とが、それぞれ略等しい。
【００２９】
展開物２は、幅方向の一方側であって前面部１４および背面部１６における（展開物２の）長手方向の略中央に、フックバーを貫通させるための貫通孔４１，４２が設けられている。貫通孔４１，４２は、幅方向の中央から一方の側に偏って、配される。展開物２は、貫通孔４１，４２の有無を除き、その幅方向の中央を長手方向に延びる線に対して対称である。
【００３０】
展開物２は、塩化ビニル樹脂の透明なシートをトムソン木型による型抜きにより製作される。
次に、展開物２を用いて組み立てられたポップカード保持具１について説明する。
図２、図３はポップカード保持具１の組み立て過程の概略図、図４はポップカード保持具１の概略図である。図５は図４におけるＰＬ１〜ＰＬ３平面による断面図であり、ポップカード保持具１における展開図２の各部分の関係を示すものである。
【００３１】
展開物２の組み立ては次のように行われる。
背面連結折線２２、前面連結折線２４、前面部形成折線２９、側面部形成折線３１、背面部形成折線３２および重ね代形成折線３４の両側が、それぞれ所定の折り方で略９０度となるように折り癖がつけられる。また、保持部形成折線２７の両側は、重なるように１８０度山折りされる。
【００３２】
保持部形成折線２７の折り癖に従って、保持前部１２が保持後部１３に重なるように、第１側面部１１および保持前部１２を一体として折り曲げられる。折り曲げの結果、保持前部１２における前面連結部２３，２３が前面第１切断線２８，２８と重なるので、前面連結部２３，２３を、それぞれが重なる前面第１切断線２８，２８による切れ目に差し入れる（図２）。
【００３３】
商品の分類名、商品の商号、商品の用途または商品の販売元等が記載されたポップカードＰＣを、記載面が保持前部１２側に向けて保持前部１２と保持後部１３とのあいだに挿入する。
それぞれの折り曲げ線の折り癖に従って、背面切断線３３，３３を背面連結部２１，２１に近づけて重ね代１７を第１側面部１１に重ねる。背面連結部２１，２１を、それぞれが重なる前面第１切断線２８，２８による切れ目に差し入れて、背面部１６を第１側面部１１に連結する（図３）。
【００３４】
最後に、保持部形成折線２７から２つ折りされ重ねられた保持前部１２および保持後部１３を保持後部１３側に丸めて、外方に突出した側面連結部２６，２６側を、それぞれ異なる前面第２切断線３０，３０により生じた切れ目に差し入れると、ポップカード保持具１が完成する（図４）。ポップカード保持具１の横幅（図５における上下方向の寸法）は、長手方向における前面部１４および背面部１６の寸法により決定される。
【００３５】
ポップカード保持具１では、突出端を上底とする略台形状の背面連結部２１、前面連結部２３および側面連結部２６が、その突出元ではなくその突出側近傍で最もその幅（図１のＵ１−Ｕ２間）が大きい。これらの連結部は、対応する切断線（前面第１切断線２８、前面第２切断線３０、背面切断線３３）に差し入れられると、突出元ではなくその近傍に形成された最大幅の部分の戻りが切断線のいずれかの端（切断されず連続する部分）に妨げられる。このことにより、ポップカード保持具１は、粘着テープ等を使用することなく、組み立て状態を安定に維持することができる。
【００３６】
ポップカード保持具１は、フックバー５のフック５１を背面部１６の貫通孔４２および前面部１４の貫通孔４１に貫通させて、フックバー５に吊り下げられる。フックバー５のフック５１にポップカード保持具１が吊り下げられたら、脱落防止のために、フック５１における前面部１４の保持後部１３との対向面の直近、または背面部１６の前面部１４との対向面の直近に、フックストッパー６が取り付けられる。
【００３７】
図６はフックストッパー６の概要を示す図である。図６（ａ）は正面図、図６（ｂ）は側面図である。フックストッパー６は、略円筒における周方向の一部が欠けた形状の係止部６１および係止部６１から径方向に突出する持ち手部６２からなる。略円筒状の係止部６１の内径は、取り付けが予定されるフック５１の径と同じまたはわずかに小さい。係止部６１の外径は、前面部１４の貫通孔４１および背面部１６の貫通孔４２の径よりも大きい。
【００３８】
フックストッパー６は、弾性を有する剛性樹脂等で形成されている。フックストッパー６は、丸棒であるフック５１に円筒における周方向の欠落部分６３が押し付けられ広げられてフック５１に取り付けられる。フックストッパー６は、前面部１４および背面部１６の移動を妨げることによりポップカード保持具１がフック５１から外れるのを防止する。
図５に示されるフックバー５は、角パイプバーに取り付けられるシングルフックのものであるが、ポップカード保持具１は、ネットに取り付けられるフックバー、フックバーの上に表示用のバーを有する２段フックバー等にも取り付けが可能である。
【００３９】
ポップカード保持具１は、ポップカードＰＣが保持前部１２および保持後部１３に挟まれ、表示面を表に半円状に湾曲するので、ポップカードに記載された情報を１８０度の位置から認識することができる。
図７は他の展開物２Ｂの平面図、図８はポップカード保持具１Ｂにおいて展開物２ＢのＡ−Ａ矢視相当方向から見た断面図である。
【００４０】
展開物２Ｂは、長手方向の一方から他方に向けて、重ね代１７Ｂ、第１側面部１１Ｂ、保持前部１２Ｂ、保持後部１３Ｂ、前面部１４、第２側面部１５および背面部１６Ｂの順で連続することにより形成されている。
重ね代１７Ｂは、山折りの折り曲げ線である重ね代形成折線３４Ｂを介して第１側面部１１Ｂに連続する。重ね代１７Ｂは、第１側面部１１Ｂとの境界（である重ね代形成折線３４Ｂ）からわずかに長手方向の内方に、いずれも幅方向に延び互いに離れて配された２つの背面切断線３３Ｂが設けられている。背面切断線３３Ｂの形状は、展開物２における前面第１切断線２８、背面切断線３３等と同じである。また、背面切断線３３Ｂを幅方向両側で連結する重ね代形成折線３４Ｂと背面切断線３３Ｂにおける直線部分との距離は、展開物２における、前面第１切断線２８の直線部分と前面部形成折線２９との距離Ｄ１と同様に、展開物２Ｂを形成するシートの厚さよりもわずかに大きい。
【００４１】
第１側面部１１Ｂは、長手方向に隣り合う保持前部１２Ｂとの境界から保持前部１２Ｂ側にはみ出す、幅方向に並ぶ２つの前面連結部２３Ｂを有する。背面連結部２１Ｂの形状は、展開物２の各連結部と同様に、はみ出し側に位置しその端を上底とする高さの高い台形と、この台形の下底を下底とする高さの低い台形が長手方向に組み合わされたものである。高さの低い台形の上底は、山折りの前面連結折線２４であり、第１側面部１１Ｂと保持前部１２Ｂとの境界である。
【００４２】
保持前部１２Ｂは、長手方向における第１側面部１１Ｂの逆側で、山折りの折り曲げ線である保持部形成折線２７により保持後部１３Ｂに連続する。保持部形成折線２７は、保持前部１２Ｂと保持後部１３Ｂとを画する線である。
保持後部１３Ｂは、保持前部１２Ｂとの境界から保持前部１２Ｂ側にはみ出す２つの側面連結部２６Ｂを有する。側面連結部２６Ｂは、その形状および大きさが前面連結部２３Ｂと同じであるが、向きが１８０度異なる。側面連結部２６Ｂは、折り曲げ線等を介さずに保持後部１３Ｂの他の部分に連続する。
【００４３】
前面部１４および第２側面部１５は、展開物２における前面部１４および第２側面部１５と同じであり、その説明を省略する。
背面部１６Ｂは、第２側面部１５の逆側の端から外方に突出する２つの背面連結部２１Ｂを有する。背面連結部２１Ｂの形状、大きさは、前面連結部２３Ｂと同じである。背面部１６Ｂからの背面連結部２１Ｂの突出元は、山折りの背面連結折線２２Ｂである。
【００４４】
幅方向に２つ並ぶ各切断線および各連結部は、幅方向のそれぞれの側のものが、長手方向の一線上に並んでいる。
図８を参照して、展開物２Ｂは、その各連結部が、その名称が同じ展開物２における各連結部が差し入れられる各切断線と同じ名称の展開物２Ｂにおける各切断線に差しいれられることにより、ポップカード保持具１Ｂに組み立てられる。
【００４５】
展開物２Ｂおよびポップカード保持具１Ｂにおける上述した以外の構成は、展開物２およびポップカード保持具１におけるものと同じであり、各図において展開物２およびポップカード保持具１におけるものと同じ符合を付し、その説明を省略する。
ポップカード保持具１Ｂは、ポップカードに記載された情報を１８０度の位置から認識することができる。
【００４６】
図９は他の展開物２Ｃの概略図、図１０はポップカード保持具１Ｃの構成を示す図である。図９における（ａ）は展開物２Ｃの平面図、（ｂ）はクリップ３Ｃの正面図、（ｃ）はクリップ３Ｃの側面図である。図１０の（ａ）はポップカード保持具１Ｃの概略図、（ｂ）は（ａ）におけるＰＬ４〜ＰＬ６平面による断面図である。
展開物２Ｃは、長手方向の一方から他方に向けて、第１側面部１１Ｃ、保持前部１２Ｃ、保持後部１３Ｃ、前面部１４Ｃ、第２側面部１５、背面部１６Ｃおよび重ね代１７Ｃの順で連続することにより形成されている。
【００４７】
第１側面部１１Ｃは、長手方向の端縁である一方の端に連結部等を有さず、他方の端は、折り曲げ線を介さずに保持前部１２Ｃに連続する。
保持前部１２Ｃは、幅方向両側の端縁における第１側面部との境界近傍に、矩形の切り欠き３５Ｃ，３５Ｃを有する。保持前部１２Ｃは、長手方向に隣り合う保持後部１３Ｃとの境界から保持後部１３Ｃ側にはみ出す２つの側面連結部２６，２６を有する。側面連結部２６は、展開物２における側面連結部２６と略同一の形状である。保持前部１２Ｃは、側面連結部２６，２６を幅方向につなぐ山折りの保持部形成折線２７で保持後部１３Ｃに連続する。
【００４８】
保持後部１３Ｃは、幅方向に延びた谷折り線である前面部形成折線２９Ｃを介して前面部１４Ｃに連続する。保持後部１３Ｃは、幅方向両側の端縁における前面部１４Ｃとの境界近傍に、矩形の切り欠き３６Ｃ，３６Ｃを有する。切り欠き３６Ｃは、保持前部１２Ｃに設けられた切り欠き３５と同じ形状、大きさである。
前面部１４Ｃは、長手方向における保持後部１３Ｃの逆側で、第２側面部１５に連続する。
【００４９】
前面部１４Ｃと第２側面部１５との境界近傍における構造は、展開物２におけるものと同じである。また、第２側面部１５と背面部１６Ｃとが折り曲げ線である背面部形成折線３２を介して連続する点も展開物２と同じである。
背面部１６Ｃは、幅方向の両端を結ぶ山折りの重ね代形成折線３４Ｃを介して重ね代１７Ｃに連続する。
【００５０】
重ね代１７Ｃは、その形状等が展開物２における重ね代１７と同じである。
展開物２の組み立ては、最初に、前面部形成折線２９Ｃ、側面部形成折線３１、背面部形成折線３２および重ね代形成折線３４Ｃの両側が、それぞれ所定の側で略９０度となるように折り癖がつけられる。保持部形成折線２７の両側は、重なるように山折りされる。
保持部形成折線２７の折り癖に従って、保持前部１２Ｃが保持後部１３Ｃに重なるように、第１側面部１１Ｃおよび保持前部１２Ｃを一体として折り曲げられる。この結果、保持前部１２Ｃの切り欠き３５Ｃ，３５Ｃと保持前部１２Ｃの切り欠き３６Ｃ，３６Ｃとが重なるので、この重なった切り欠き３５Ｃ，３６Ｃにクリップ３Ｃを嵌め入れてこれらを一体に固定する。
【００５１】
クリップ３Ｃは、図９（ｂ），（ｃ）を参照して、弾性を有する板材により「Ｕ」字状に形成され、両端３７Ｃ，３７Ｃが接するように付勢されている。
展開物２Ｃは、クリップ３Ｃ，３Ｃで保持前部１２Ｃと保持前部１２Ｃとが一体化されることによって、図２の展開物２と略同じ形態となる。
次に、重ね代１７Ｃを内側にして重ね代と第１側面部１１Ｃの端近傍とが重ね合わされ、粘着テープＴＰによりこれらが一体化される。この段階では、展開物２Ｃは、図３の展開物２と略同じ形態である。
【００５２】
保持前部１２Ｃと保持後部１３Ｃとのあいだにポップカードが挿入される。保持前部１２Ｃおよび保持後部１３Ｃが保持後部１３Ｃ側に丸められ、側面連結部２６，２６が、それぞれ異なる前面第２切断線３０，３０により生じた切れ目に差し入れられ、ポップカード保持具１Ｃの組み立てが終了する。
展開物２Ｃに側面連結部２６，２６および前面第２切断線３０，３０を設けず、展開物２Ｃのポップカード保持具１Ｃの組み立てにおけるこれらの役割、つまり保持前部１２Ｃ（および保持後部１３Ｃ）と第２側面部１５（および前面部１４Ｃ）との連接を、粘着テープで行ってもよい。
【００５３】
展開物２Ｃおよびポップカード保持具１Ｃにおける上述した以外の構成は、展開物２およびポップカード保持具１におけるものと同じであり、各図において展開物２およびポップカード保持具１におけるものと同じ符合を付し、その説明を省略する。
ポップカード保持具１Ｃは、ポップカードに記載された情報を１８０度の位置から認識することができる。
【００５４】
図１１は他の展開物２Ｄの展開図、図１２は図１１由来のポップカード保持具１Ｄにおいて図１１の展開物のＢ−Ｂ矢視相当方向から見た断面図である。
展開図２Ｄは、背面連結部２１Ｄ，２１Ｄが、長手方向における第２側面部１５Ｄの端に、山折りの背面連結折線２２Ｄにより他の第２側面部１５Ｄの部分に連続している。また、展開図２Ｄは、背面部１６Ｄが、第１側面部１１Ｄの端に山折りの背面部形成折線３２Ｄを介して連続している。
【００５５】
重ね代１７Ｄは、２つの背面切断線３３Ｄ，３３Ｄにより背面部１６Ｄから切り離され、幅方向におけるこれらの両側の山折りである重ね代形成折線３４Ｄを介して背面部１６Ｄに連続する。
展開物２Ｄは、上記の点を除き、展開物２と同じである。展開物２Ｄは、第２側面部１５Ｄから長手方向の外方に突出する背面連結部２１Ｄ，２１Ｄが、重ね代１７Ｄと背面部１６Ｄとを切り離す背面切断線３３Ｄ，３３Ｄに差し入れられることにより、ポップカード保持具１Ｄに組み立てられる。
【００５６】
図１３は他の展開物２Ｅの展開図、図１４は図１３由来のポップカード保持具１Ｅにおいて図１３の展開物のＣ−Ｃ矢視相当方向から見た断面図である。
展開物２Ｅは、矩形状のシートの長手方向の一方から他方に向けて、保持前部１２Ｅ、保持後部１３、前面部１４Ｅ、第２側面部１５、背面部１６Ｅおよび第１側面部１１Ｅが、この順に連続している。
【００５７】
保持前部１２Ｅは、保持後部１３とは逆側の端に、外方に突出する２つの前面連結部２３Ｅ，２３Ｅを有する。前面連結部２３Ｅの突出元は、山折りの折り曲げ線である前面連結折線２４となっている。前面連結部２３Ｅの形状等は、展開物２における前面連結部２３と同じである。
前面部１４Ｅは、おおよそ展開物２における前面部１４と同じであるが、前面第１切断線２８Ｅは、その直線部分が、展開物２における前面第１切断線２８よりもさらに保持後部１３側に位置し、この直線部分と前面部形成折線２９との距離Ｄ１は、展開物２を形成するシートの厚さの２倍よりも大きい。
【００５８】
背面部１６Ｅと第１側面部１１Ｅとは、山折りの折り曲げ線である背面連結折線２２Ｅで連続する。第１側面部１１Ｅにおける背面部１６Ｅと逆側の端には、外方に突出する２つの第２側面連結部３８Ｅ，３８Ｅが設けられている。第２側面連結部３８Ｅの形状、大きさ等は側面連結部２６と同じである。
展開物２Ｅは、図１４を参照して、前面連結部２３Ｅおよび第２側面連結部３８Ｅが、いずれも前面第１切断線による隙間に差し入れられてポップカード保持具１Ｅに組み立てられる。
【００５９】
ポップカード保持具１，１Ｂ〜１Ｅは、側面連結部２６，２６Ｂと前面第２切断線３０による隙間との連結を解除することにより、簡便にポップカードを交換することができる。
上述の実施形態において、ポップカード保持具１，１Ｂ〜１Ｅは、それぞれの部分の構造を異なる他のポップカード保持具１，１Ｂ〜１Ｅの部分の構造に置き換えることができる。
【００６０】
展開物２，２Ｂ〜２Ｅでは、例えば側面連結部２６および前面第２切断線３０をそれぞれ２つずつ設けたが、それぞれを幅方向に大きな１つのみ、またはそれぞれを３つ以上設けて、展開物２，２Ｂ〜２Ｅと同様のポップカード保持具１，１Ｂ〜１Ｅとすることができる。
また、ポップカード保持具１，１Ｂ〜１Ｅにおける保持部形成折線２７と側面部形成折線３１との連結を、側面連結部２６，２６Ｂと前面第２切断線３０とで行うのではなく、粘着テープで行ってもよい。その場合、ポップカードの交換は、粘着テープを剥がすことにより行われる。
【００６１】
展開物２，２Ｂ〜２Ｅは、塩化ビニル樹脂以外のポリプロピレン樹脂、アクリル樹脂等の他の透明な樹脂シートを使用することができる。展開物２，２Ｂ〜２Ｅに使用される樹脂シートの厚みは、展開物２，２Ｂ〜２Ｅの大きさ、樹脂材料の硬さ等によって種々のものが適宜選択される。展開物２，２Ｂ〜２Ｅは、少なくとも保持前部１２，１２Ｂ，１２Ｃ，１２Ｅが透明であれば、ポップカード保持具１，１〜１Ｅは、保持するポップカードに記載された情報を、１８０度の位置から認識することができる。
【００６２】
その他、展開物２，２Ｂ〜２Ｅおよびポップカード保持具１，１Ｂ〜１Ｅの各構成または全体の構造、形状、寸法、個数、材質などは、本発明の趣旨に沿って適宜変更することができる。
【産業上の利用可能性】
【００６３】
本発明は、商品の情報が表示されたカードを保持し、商品陳列用什器のフックバーに取り付けられるポップカード保持具に利用することができる。
【符号の説明】
【００６４】
１，１Ｂ〜１Ｅ  ポップカード保持具
２，２Ｂ〜２Ｅ  （ポップカード保持具の）展開物
１１，１１〜１１Ｅ  第１側面部
１２，１２Ｂ，１２Ｃ，１２Ｅ  保持前部
１３，１３Ｂ，１３Ｃ  保持後部
１４，１４Ｃ，１４Ｅ  前面部
１５，１５Ｄ  第２側面部
１６，１６Ｂ〜１６Ｅ  背面部
２０  （切断線である）輪郭線
２３，２３Ｂ，２３Ｅ  前面連結部
２４  前面連結折線
２５  （切断線である）輪郭線
２６，２６Ｂ  側面連結部
２７  保持部形成折線
２８  前面第１切断線
２９，２９Ｃ  前面部形成折線
３０  前面第２切断線
３１  側面部形成折線
３２，３２Ｄ  背面部形成折線
３８Ｅ  第２側面連結部
【図１】
2014033858.tif 000003
【図２】
2014033858.tif 000004
【図４】
2014033858.tif 000005
【図５】
2014033858.tif 000006
【図６】
2014033858.tif 000007
【図７】
2014033858.tif 000008
【図８】
2014033858.tif 000009
【図９】
2014033858.tif 000010
【図１０】
2014033858.tif 000011
【図１１】
2014033858.tif 000012
【図１２】
2014033858.tif 000013
【図１３】
2014033858.tif 000014
【図１４】
2014033858.tif 000015
【図３】
2014033858.tif 000016